(57)【要約】【課題】外側エスカチオンの薄厚化が可能となるエスカチオン構造を提供する。【解決手段】扉１１に内設される錠箱１５と、扉１１の表裏に取り付けられる外側エスカチオン２３及び内側エスカチオン２５と、外側エスカチオン２３に表出するシリンダー錠３１と、を具備するエスカチオン構造であって、シリンダー錠３１を、錠箱１５外の扉１１内に設ける。錠箱１５の内側エスカチオン２５と対向する面１５ａに設けたシリンダー回動入力部材９１と、シリンダー錠３１の回動を出力するテールピース５９と、を回動伝達機構６１にて連結する。【選択図】  図２
2011074717.tif 000002
【特許請求の範囲】
【請求項１】
扉に内設される錠箱と、前記扉の表裏に取り付けられる外側エスカチオン及び内側エスカチオンと、前記外側エスカチオンに表出するシリンダー錠と、
を具備するエスカチオン構造であって、
前記シリンダー錠を、前記錠箱外の前記扉内に設け、
前記錠箱の前記内側エスカチオンと対向する面に設けたシリンダー回動入力部材と、前記シリンダー錠の回動を出力するテールピースと、を回動伝達機構にて連結したことを特徴とするエスカチオン構造。
【請求項２】
請求項１記載のエスカチオン構造であって、
前記回動伝達機構は、
前記テールピースを同軸に接続しブラケットに回動自在に支持される第１リンクアームと、
前記ブラケットに、前記第１リンクアームと平行な回動中心軸で回動自在に支持される第２リンクアームと、
前記第１リンクアームと前記第２リンクアームを連結するリンクと、
前記第２リンクアームと前記シリンダー回動入力部材を同軸に接続するジョイントピースと、
を有することを特徴とするエスカチオン構造。
【請求項３】
請求項２記載のエスカチオン構造であって、
前記外側エスカチオンが板状に形成され、
前記内側エスカチオンが前記扉の裏面から突出する箱状に形成され、
前記回動伝達機構が、前記内側エスカチオンの箱内空間に配置されることを特徴とするエスカチオン構造。
【発明の詳細な説明】
【技術分野】
【０００１】
本発明は、扉の表裏にエスカチオンをそれぞれ取り付けてなるエスカチオン構造に関する。
【背景技術】
【０００２】
扉の鍵穴、把手、サムターンなどのまわりには、盾形の縁飾り板、所謂エスカチオンが取り付けられる（例えば特許文献１，２参照）。エスカチオンは、扉の外側に外側エスカチオン、扉の内側に内側エスカチオンがそれぞれ取り付けられる。外側エスカチオンには外側把手のハンドル軸が貫通し、シリンダー錠の鍵穴などが表出する。内側エスカチオンには内側把手のハンドル軸が貫通し、サムターンの軸が貫通配置する。エスカチオンは、一般的に鋳造品等の金属からなり、略箱形状となって扉の表裏から突出するため、装飾部材としてだけでなく、上記部材や錠箱などの支持体、機構部品を隠すカバー体として利用されることがある。
【先行技術文献】
【特許文献】
【０００３】
【特許文献１】特開平７−２８６４６０号公報
【特許文献２】特開２００３−２５３９２４号公報
【発明の概要】
【発明が解決しようとする課題】
【０００４】
ところで、ホテルの客室扉などでは、内装デザイン等との統一化により特に室外側となる廊下側に面して外側エスカチオンの形状や意匠性の自由度を得て、例えば扉面に任意のクロス（壁紙）等を張り替えたい等の要望がある。
しかしながら、従来のエスカチオン構造は、扉の表裏から突出する箱状のものが多く、上記要求を満足しない。エスカチオンを薄板としたいが、シリンダー錠と錠箱は、扉厚み方向に直列に並べて接続している。シリンダー錠取付寸法と、同方向の錠箱取付寸法の双方を積み上げた合計寸法を取付寸法として確保しなければならない。このため、外側エスカチオンの箱状内部空間は必要な収容スペースとなっていた。
【０００５】
本発明は上記状況に鑑みてなされたもので、その目的は、外側エスカチオンの厚みを薄型化し、デザイン性を向上可能とするエスカチオン構造を提供することにある。
【課題を解決するための手段】
【０００６】
次に、上記の課題を解決するための手段を、実施の形態に対応する図面を参照して説明する。
本発明の請求項１記載のエスカチオン構造は、扉１１に内設される錠箱１５と、前記扉１１の表裏に取り付けられる外側エスカチオン２３及び内側エスカチオン２５と、前記外側エスカチオン２３に表出するシリンダー錠３１と、
を具備するエスカチオン構造であって、
前記シリンダー錠３１を、前記錠箱１５外の前記扉１１内に設け、
前記錠箱１５の前記内側エスカチオン２５と対向する面１５ａに設けたシリンダー回動入力部材９１と、前記シリンダー錠３１の回動を出力するテールピース５９と、を回動伝達機構６１にて連結したことを特徴とする。
【０００７】
このエスカチオン構造では、扉厚み方向のシリンダー錠取付寸法と、同方向の錠箱取付寸法の双方を積み上げた合計寸法を取付寸法として確保する必要がなくなる。すなわち、シリンダー錠取付寸法、又は錠箱取付寸法のいずれか大きい方を確保すればよい。これにより、扉厚対応を容易にすることができ、より薄厚の扉１１に対応できる。同時に、内外エスカチオン２３，２５の薄厚化が可能となる。また、ホテルの客室扉等の場合には、薄厚化した外側エスカチオン２３が扉表面より大きく張り出すことがなく、例えば表面に任意のクロス（壁紙）等を張り替えるなども可能となり、扉との意匠性や扉の周囲の壁面との意匠性も含め、その自由度が増す。
【０００８】
請求項２記載のエスカチオン構造は、請求項１記載のエスカチオン構造であって、
前記回動伝達機構６１は、
前記テールピース５９を同軸に接続しブラケット８３に回動自在に支持される第１リンクアーム８７と、
前記ブラケット８３に、前記第１リンクアーム８７と平行な回動中心軸で回動自在に支持される第２リンクアーム８９と、
前記第１リンクアーム８７と前記第２リンクアーム８９を連結するリンク１０１と、
前記第２リンクアーム８９と前記シリンダー回動入力部材９１を同軸に接続するジョイントピース１０３と、
を有することを特徴とする。
【０００９】
このエスカチオン構造では、シリンダー錠３１から出力される回動が、テールピース５９を伝って第１リンクアーム８７を回動させる。第１リンクアーム８７の回動はリンク１０１を伝って第２リンクアーム８９に同一回転角度且つ同方向で伝わる。第２リンクアーム８９の回動はジョイントピース１０３にて錠箱１５のシリンダー回動入力部材９１に伝わる。したがって、シリンダー錠３１の回動出力は、並設した錠箱１５のシリンダー回動入力部材９１に、同一回転角度且つ同方向で伝わる。
【００１０】
請求項３記載のエスカチオン構造は、請求項２記載のエスカチオン構造であって、
前記外側エスカチオン２３が板状に形成され、
前記内側エスカチオン２５が前記扉１１の裏面から突出する箱状に形成され、
前記回動伝達機構６１が、前記内側エスカチオン２５の箱内空間６３に配置されることを特徴とする。
【００１１】
このエスカチオン構造では、回動伝達機構６１が内側エスカチオン２５の箱内空間６３に配置されることで、回動伝達機構６１が内側エスカチオン２５に支持可能となる。これにより、外側エスカチオン２３への支持が不要となり、外側エスカチオン２３の強度を低く、すなわち、厚さを薄く形成可能となる。
【発明の効果】
【００１２】
本発明に係る請求項１記載のエスカチオン構造によれば、シリンダー錠を錠箱外の扉内に設け、錠箱のシリンダー回動入力部材とシリンダー錠のテールピースを回動伝達機構にて連結したので、シリンダー錠を錠箱に並べて配置でき、シリンダー錠と錠箱の取付寸法が双方の積み上げ寸法となることを解消し、外側エスカチオンの薄型化が可能となる。
【００１３】
請求項２記載のエスカチオン構造によれば、回動伝達機構を、テールピースと同軸の第１リンクアームと、第１リンクアームと平行な第２リンクアームと、第１、第２リンクアームを連結するリンクと、第２リンクアームをシリンダー回動入力部材に接続するジョイントピースと、によって構成したので、少ない部品数で、しかも、安価な部品を使用し、簡素な構造で、テールピースと平行に並んで同方向に向くシリンダー回動入力部材に回動出力を伝達できる。
【００１４】
請求項３記載のエスカチオン構造によれば、外側エスカチオンを板状に形成し、内側エスカチオンを箱状に形成し、回動伝達機構を内側エスカチオンの箱内空間に配置するので、回動伝達機構の収容スペースを、扉の厚み内に確保する必要がなく、より薄厚の扉への対応が可能となる。また、ブラケットを内側エスカチオンに固定できるので、外側エスカチオンを低強度に形成でき、外側エスカチオンを薄型化できる。
【図面の簡単な説明】
【００１５】
【図１】本発明に係るエスカチオン構造を備えた扉を木口側から見た側面図である。
【図２】図１の扉内部の側面図である。
【図３】（ａ）は扉外側の斜視図、（ｂ）は扉内側の斜視図である。
【図４】（ａ）外側エスカチオンの正面図、（ｂ）は錠箱を省略した扉内部の側面図、（ｃ）は内側エスカチオンの正面図である。
【図５】外側エスカチオンの斜視図である。
【図６】外側エスカチオンを取付面側から見た斜視図である。
【図７】外側エスカチオンの断面図である。
【図８】内側エスカチオンの斜視図である。
【図９】内側エスカチオンを取付面側から見た斜視図である。
【図１０】エスカチオン構造の要部断面図である。
【図１１】回動伝達機構の分解斜視図である。
【図１２】（ａ）は回動伝達機構を入出力側から見た斜視図、（ｂ）は回動伝達機構を取付面側から見た斜視図である。
【図１３】外側エスカチオンを凹設した変形例に係るエスカチオン構造の扉内部の側面図である。
【発明を実施するための形態】
【００１６】
以下、本発明の実施の形態を図面を参照して説明する。
図１は本発明に係るエスカチオン構造を備えた扉を木口側から見た側面図である。
扉１１の木口１３には錠箱１５のフロントパネル１７が化粧ビス１９により取り付けられる。フロントパネル１７からはラッチ兼デッドボルト２１が、錠箱１５内の錠機構により進退自在に設けられる。扉１１の表裏には外側エスカチオン２３、内側エスカチオン２５が取り付けられる。外側エスカチオン２３には外側把手２７のハンドル軸２９が貫通し、シリンダー錠３１の鍵穴３３（図３参照）が表出する。内側エスカチオン２５には内側把手３５のハンドル軸３７が貫通し、サムターン３９の軸４１が貫通する。
【００１７】
図２は図１の扉内部の側面図である。
外側把手２７のハンドル軸２９は、錠箱１５の外側ハンドル入力部材４３に係合し、錠箱１５を貫通する。錠箱１５を貫通したハンドル軸２９の先端２９ａは、軸支部４５によって内側エスカチオン２５に回動自在に支持される。内側把手３５のハンドル軸３７は、内側エスカチオン２５に設けられる軸受部４７に回動自在に支持され、先端３７ａが錠箱１５の内側ハンドル入力部材４９に係合する。サムターン３９の軸４１は、先端４１ａが錠箱１５のサムターン入力部材５１に係合する。外側ハンドル入力部材４３、内側ハンドル入力部材４９、サムターン入力部材５１からの操作回動は不図示の錠機構に伝達され、ラッチ兼デッドボルト２１を進退動作させるなどする。
【００１８】
また、外側エスカチオン２３には先端にネジ穴５３を有した複数（図例では２つ）の固定軸５５の基端が加締め固定される。ネジ穴５３には内側エスカチオン２５を貫通した固定ネジ５７が螺合される。つまり、外側エスカチオン２３と内側エスカチオン２５は、固定ネジ５７によって扉１１を表裏から挟んで固定される。
【００１９】
シリンダー錠３１は、錠箱１５の外部の扉１１内に設けられている。本実施の形態では、錠箱１５の下方における外側エスカチオン２３の背部に配置される。シリンダー錠３１の後部にはシリンダー操作回転を出力するテールピース５９が突出する。このテールピース５９からの操作回転は、後述する回動伝達機構６１によって錠箱１５に伝達されることとなる。
【００２０】
図３（ａ）は扉外側の斜視図、（ｂ）は扉内側の斜視図である。
外側エスカチオン２３は、板状に形成される。外側エスカチオン２３の板厚は、例えば２．５ｍｍ程度に設定される。扉１１の表面１１ａからは板厚分のみが突出する。したがって、外側エスカチオン２３は、表面１１ａと略面一となる。一方、内側エスカチオン２５は、扉１１の裏面１１ｂから突出する箱状に形成される。これにより、裏面１１ｂの外方に箱内空間６３（図２参照）が形成されるようになされている。
【００２１】
図４（ａ）外側エスカチオンの正面図、（ｂ）は錠箱を省略した扉内部の側面図、（ｃ）は内側エスカチオンの正面図である。
本エスカチオン構造において各操作部材の位置関係は図４に示す通りとなる。すなわち、外側エスカチオン２３と内側エスカチオン２５とは扉１１の内外で同一高さで取り付けられる。外側把手２７は、内側把手３５よりも低く配置される。シリンダー錠３１は、最下部に配置されて鍵穴３３を外側エスカチオン２３に表出させる。サムターン３９は、外側把手２７とシリンダー錠３１の間に配置される。
【００２２】
図５は外側エスカチオンの斜視図である。
図５に示すように、外側エスカチオン２３は、中央部に外側把手２７のハンドル軸２９を挿通する外ハンドル軸貫通穴６５を有する。また、下部にはシリンダー錠３１の鍵穴３３を表出させるための鍵穴表出窓６７が開口される。
【００２３】
図６は外側エスカチオンを取付面側から見た斜視図である。
外側エスカチオン２３は、表面化粧板６９と、裏板７１を重ねてなる。表面化粧板６９としては例えば１．０ｍｍ程度のＳＵＳ材が使用される。裏板７１としては例えば１．６ｍｍ程度のＳＰＣＣ材が使用される。外側エスカチオン２３の裏面、すなわち、裏板７１には固定軸５５の他、シリンダー錠３１を固定するシリンダー固定柱７３が立設される。シリンダー錠３１は、シリンダー受け７５に外嵌固定され、このシリンダー受け７５に設けられた固定フランジ７５ａが固定ネジ７７によってシリンダー固定柱７３に固定されることで、裏板７１に固定される。
【００２４】
図７は外側エスカチオンの断面図である。
ハンドル貫通穴６５と鍵穴表出窓６７とは、表面化粧板６９を裏板７１側に鍔だし加工して形成される。表面化粧板６９と裏板７１とは、これら鍔部７９を裏板７１と共加締めすることにより表裏一体に固定される。なお、表面化粧板６９と裏板７１は、その間に薄型両面接着テープや接着剤を併用することで固定強度をより高めることができる。
【００２５】
図８は内側エスカチオンの斜視図である。
箱状に形成される内側エスカチオン２５は、内側把手３５、サムターン３９を回動自在に支持する。上下部には固定ネジ５７を挿通するための固定穴８１，８１が設けられている。
【００２６】
図９は内側エスカチオンを取付面側から見た斜視図である。
内側エスカチオン２５の箱内空間６３には、サムターン３９の軸４１の下方に回動伝達機構６１のブラケット８３が固定される。ブラケット８３は、扉面と平行な基板部８３ａの両側が一対の側板部８３ｂ，８３ｂとなり、内側エスカチオン２５に向かって折り曲げられる。側板部８３ｂ，８３ｂの先端は脚板８３ｃとなって内側エスカチオン２５の内面に固定される。つまり、基板部８３ａと内側エスカチオン２５の間には空間８５が形成されている。
【００２７】
図１０はエスカチオン構造の要部断面図である。
ブラケット８３の基板部８３ａには、シリンダー錠３１に対向して第１リンクアーム８７が回動自在に支持される。第１リンクアーム８７より上方の基板部８３ａには第２リンクアーム８９が回動自在に支持される。第２リンクアーム８９は、錠箱１５に設けられたシリンダー回動入力部材９１に対向する。第１リンクアーム８７、第２リンクアーム８９は、それぞれが中空で筒状に形成されるアーム軸８７ａ，８９ａを有する。
【００２８】
内側エスカチオン２５は、箱状の裏板９３の表面が表面化粧板９５に覆われる。裏板９３としては例えば１．６ｍｍ程度のＳＰＣＣ材が使用される。表面化粧板９５としては例えば１．０ｍｍ程度のＳＵＳ材が使用される。裏板９３の第１リンクアーム８７、第２リンクアーム８９に対向するそれぞれの位置には支軸９７，９７が加締め固定される。支軸９７は、アーム軸８７ａ，８９ａの一端に挿入され、アーム軸８７ａ，８９ａの一端を回動自在に支持する。つまり、アーム軸８７ａ，８９ａは、基板部８３ａと支軸９７とによって支持される。
【００２９】
図１１は回動伝達機構の分解斜視図である。
ブラケット８３の基板部８３ａにはアーム軸８７ａ，８９ａを支持する支持穴９９，９９が穿設される。アーム軸８７ａ，８９ａにはアーム板８７ｂ，８９ｂが半径方向外側に突設される。各アーム板８７ｂ，８９ｂは同等の長さで形成され、アーム板８７ｂ，８９ｂ同士は、その先端同士をリンク１０１によって連結される。すなわち、第１リンクアーム８７の回動はリンク１０１を介して第２リンクアーム８９に伝わる。アーム軸８７ａ，８９ａの支軸９７と反対側の端面には嵌入穴８７ｃ，８９ｃが形成される。嵌入穴８７ｃにはテールピース５９が相対回転不能に挿入される。嵌入穴８９ｃにはジョイントピース１０３の基端が相対回転不能に挿入される。ジョイントピース１０３は、先端がシリンダー回動入力部材９１に相対回転不能に挿入される。
【００３０】
以上のように、回動伝達機構６１は、その要部構成として第１リンクアーム８７が、テールピース５９を同軸に接続しブラケット８３に回動自在に支持される。第２リンクアーム８９は、第１リンクアーム８７と平行な回動中心軸で回動自在にブラケット８３に支持される。第１リンクアーム８７と第２リンクアーム８９はリンク１０１によって連結される。第２リンクアーム８９は、ジョイントピース１０３によってシリンダー回動入力部材９１を同軸に接続する。すなわち、エスカチオン構造では、錠箱１５の内側エスカチオン２５と対向する面１５ａ（図１０参照）に接続部を設けたシリンダー回動入力部材９１と、シリンダー錠３１の回動を出力するテールピース５９と、が回動伝達機構６１にて連結される。
【００３１】
エスカチオン構造では、回動伝達機構６１が内側エスカチオン２５の箱内空間６３に配置されることで、回動伝達機構６１が内側エスカチオン２５に支持可能となる。これにより、外側エスカチオン２３への支持が不要となり、外側エスカチオン２３が低強度で（すなわち、薄厚で）形成可能となっている。
【００３２】
本構成では回動伝達機構６１にリンク機構が使用される。シリンダー錠３１の全回転角が６０°と小さく、左右３０°の振り分けで対応が可能な点、回転方向が反転しない点、位相合わせが必要ない点が、リンク機構を採用する上で好適となる。リンク機構は、歯車機構に比べ部品コストの低減が容易となり、また組み立ても容易なものとなる。
【００３３】
次に、上記構成を有するエスカチオン構造の作用を説明する。
図１２（ａ）は回動伝達機構を入出力側から見た斜視図、（ｂ）は回動伝達機構を取付面側から見た斜視図である。
エスカチオン構造では、鍵穴３３に挿入される不図示の合鍵によってシリンダー錠３１が回動されると、回動がテールピース５９を伝って第１リンクアーム８７を回動させる。第１リンクアーム８７の回動はリンク１０１を伝って第２リンクアーム８９に同一回転角度且つ同方向で伝わる。第２リンクアーム８９の回動はジョイントピース１０３にて錠箱１５のシリンダー回動入力部材９１に伝わる。したがって、シリンダー錠３１の回動出力は、並設した錠箱１５のシリンダー回動入力部材９１に、同一回転角度且つ同方向で伝わる。
【００３４】
このエスカチオン構造では、扉厚み方向のシリンダー錠取付寸法と、同方向の錠箱取付寸法の双方を積み上げた合計寸法を取付寸法として確保する必要がなくなる。すなわち、シリンダー錠取付寸法、又は錠箱取付寸法のいずれか大きい方を確保すればよい。これにより、扉厚対応を容易にすることができる（より薄厚の扉１１に対応できる）。同時に、内外エスカチオン２３，２５の薄型化が可能となる。
【００３５】
回動伝達機構６１は、テールピース５９と同軸の第１リンクアーム８７と、第１リンクアーム８７と平行な第２リンクアーム８９と、第１、 第２リンクアーム８７，８９を連結するリンク１０１と、第２リンクアーム８９をシリンダー回動入力部材９１に接続するジョイントピース１０３と、によって構成される。これにより、少ない部品数で、しかも、安価な部品を使用し、簡素な構造で、テールピース５９と平行に並んで同方向に向くシリンダー回動入力部材９１にシリンダー回動出力を伝達できる。
【００３６】
また、外側エスカチオン２３を板状に形成し、内側エスカチオン２５を箱状に形成することで、回動伝達機構６１を内側エスカチオン２５の箱内空間６３に配置できる。これにより、回動伝達機構６１の収容スペースを、扉１１の厚み内に確保する必要がなく、より薄厚の扉１１への対応が可能となる。また、ブラケット８３を内側エスカチオン２５に固定できるので、外側エスカチオン２３を低強度に形成でき、外側エスカチオン２３を薄型化することができる。
【００３７】
したがって、本実施の形態によるエスカチオン構造によれば、シリンダー錠３１を錠箱外の扉内に設け、錠箱１５のシリンダー回動入力部材９１とシリンダー錠３１のテールピース５９を回動伝達機構６１にて連結したので、シリンダー錠３１を錠箱１５に並べて配置でき、シリンダー錠３１と錠箱１５の取付寸法が双方の積み上げ寸法となることを解消できる。この結果、外側エスカチオン２３を薄厚化することができる。
【００３８】
図１３は外側エスカチオンを凹設した変形例に係るエスカチオン構造の扉内部の側面図である。
上記エスカチオン構造では、外側エスカチオン２３を扉１１の表面１１ａに固定した。したがって、表面１１ａからは外側エスカチオン２３が厚み分突出する。本変形例では、扉１１の表面１１ａに、外側エスカチオン２３の厚みと同一深さの凹部１０５が形成される。外側エスカチオン２３を凹部１０５に落とし込み、表面１１ａと面一にできる。これにより、ホテルの客室扉等の場合には、薄厚化した外側エスカチオン２３の表面に任意のクロス（壁紙）等を張り替えることが可能となり、扉表面には鍵穴３３のみの表出となり、扉の意匠性としてその表面をデザイン可能となり、また扉の周囲の壁面との意匠性などともマッチするものが構成可能となる。
【００３９】
また、上記エスカチオン構造では、リンク機構による回動伝達機構６１を用いたが、回動伝達機構は、歯車による伝達機構を用いることもできる。この場合、回転方向を同一にするため、中間歯車を含む奇数個の歯車構成とする。歯車による伝達機構によれば、大きな操作回転角に容易に対応させることができる。また、歯車で構成することで、シリンダー錠３１とシリンダー回動入力部材９１との間で回転方向、回転角度などの伝達を任意に設定可能としたり減速や増速可能な歯数の違う歯車の組合せなども構成できる。
【符号の説明】
【００４０】
１１…扉
１１ａ…扉の表面
１５…錠箱
１５ａ…錠箱の内側エスカチオンと対向する面
２３…外側エスカチオン
２５…内側エスカチオン
３１…シリンダー錠
５９…テールピース
６１…回動伝達機構
６３…内側エスカチオンの箱内空間
８３…ブラケット
８７…第１リンクアーム
８９…第２リンクアーム
９１…シリンダー回動入力部材
１０１…リンク
１０３…ジョイントピース
【図１】
2011074717.tif 000003
【図２】
2011074717.tif 000004
【図３】
2011074717.tif 000005
【図４】
2011074717.tif 000006
【図５】
2011074717.tif 000007
【図６】
2011074717.tif 000008
【図７】
2011074717.tif 000009
【図８】
2011074717.tif 000010
【図９】
2011074717.tif 000011
【図１０】
2011074717.tif 000012
【図１１】
2011074717.tif 000013
【図１２】
2011074717.tif 000014
【図１３】
2011074717.tif 000015